(57)【要約】      （修正有）【課題】工業用のろ芯装置及びその迅速取り外し装置を提供する。【解決手段】工業用ろ芯の迅速取り外し装置は本体、定位部２０を有する。本体はろ芯アセンブリ３０と係合接続される第一組み立て部１１、外付け装置と組み立てられる第二組み立て部を有する。定位部２０は第一組み立て部１１に設置され、ろ芯アセンブリ３０と相互に係合接続される。工業用のろ芯装置は迅速取り外し装置とろ芯アセンブリ３０を有する。ろ芯アセンブリ３０はろ芯アセンブリ３０内部と相互に連通する組み付け孔３２を有する。組み付け孔３２は外付け装置の内部と相互に組み付けられ相互に連通する。工業用のろ芯装置は迅速取り外し装置とろ芯アセンブリ３０を有し、外付け装置は殼体を有する。迅速取り外し装置は定位するように殼体に設置され、ろ芯アセンブリ３０は殼体内に組み立てられる。【選択図】図２
0003212178.tif 000002
【実用新案登録請求の範囲】
【請求項１】
工業用ろ芯の迅速取り外し装置であって、
本体、定位部を有し、
前記本体は、第一組み立て部と第二組み立て部を有し、
前記第一組み立て部は、相対して回転しないように、ろ芯アセンブリと取り外し可能に係合接続され、
前記第二組み立て部は、相対して回転しないように、外付け装置と、取り外し可能に組み立てられ、
前記定位部は、前記第一組み立て部に設置され、前記ろ芯アセンブリの第一係合接続部と相互に係合して接続され、少なくとも１個の係合凹或いは少なくとも１個の係合凸を有し、前記第一係合接続部の構造と補完し合うことを特徴とする、
工業用ろ芯の迅速取り外し装置。
【請求項２】
前記第一組み立て部は、前記本体を通して設置される開口を有し、前記開口には、前記ろ芯アセンブリを嵌めて設置し、前記開口は、周辺を有し、前記周辺は平面視概ね円弧状を呈し、片側に開放状の開放側を形成することを特徴とする請求項１に記載の工業用ろ芯の迅速取り外し装置。
【請求項３】
前記開口は、概ねＣ形を呈し、内壁に、定位部を設置し、前記定位部は、少なくとも１個の凸鍵を有し、前記第一係合接続部は、少なくとも１個の凹部を有し、前記凸鍵は、前記凹部と嵌設されることを特徴とする請求項２に記載の工業用ろ芯の迅速取り外し装置。
【請求項４】
前記開口は、概ねΩ形を呈し、前記周辺の開放側の相対する両端は、外へと徐々に広がる導角をそれぞれ有することを特徴とする請求項２に記載の工業用ろ芯の迅速取り外し装置。
【請求項５】
前記開放側は、定位部を有し、前記定位部は、前記開放側の相対する両端にそれぞれ隣接する２個の係止部を有し、前記第一係合接続部は、２個の係止ブロックを有し、前記２個の係止部は、前記２個の係止ブロックと接触することを特徴とする請求項４に記載の工業用ろ芯の迅速取り外し装置。
【請求項６】
前記第二組み立て部は、前記本体の相対する両外側にそれぞれ水平に延伸する２個の翼部を有し、前記外付け装置は、相対する２個の槽部を有し、前記２個の翼部は、２個の槽部に定位するように設置されることを特徴とする請求項１に記載の工業用ろ芯の迅速取り外し装置。
【請求項７】
前記本体は、握持部をさらに有し、前記握持部は、外へと延伸して成型されることを特徴とする請求項１に記載の工業用ろ芯の迅速取り外し装置。
【請求項８】
前記迅速取り外し装置は、一体成型であることを特徴とする請求項１に記載の工業用ろ芯の迅速取り外し装置。
【請求項９】
工業用のろ芯装置であって、
請求項１、２、３、６、７または８に記載の迅速取り外し装置を有し、
前記ろ芯装置は、ろ芯アセンブリをさらに有し、
前記ろ芯アセンブリは、前記ろ芯アセンブリ内部と相互に連通する少なくとも１個の組み付け孔を有し、
前記組み付け孔は、外付け装置の内部と相互に組み付けられ、相互に連通することを特徴とする、
工業用のろ芯装置。
【請求項１０】
工業用のろ芯装置であって、
請求項１、２、４、５、６または８に記載する迅速取り外し装置を有し、
前記ろ芯装置は、ろ芯アセンブリをさらに有し、
前記外付け装置は、殼体を有し、
前記迅速取り外し装置は、定位するように、前記殼体に設置され、
前記ろ芯アセンブリは、前記殼体内に組み立てられることを特徴とする、
工業用のろ芯装置。
【考案の詳細な説明】
【技術分野】
【０００１】
本考案は工業用のろ芯装置及びその迅速取り外し装置に関する。
【背景技術】
【０００２】
一般に工業用ろ芯はしばしば交換する必要がある。
しかも、工業用ろ芯は、様々な種類と機能を備えるため、交換時には、工業用ろ芯とろ過器との組合せの互換性について考慮しなければならない。
【０００３】
そのため、ろ過器に対応する工業用ろ芯の選択には、多くの不便が存在する。
さらに、工業用ろ芯は、使い捨て製品であるため、環境に負荷をかけてしまう。
また、半導体産業において作業スペースは限られており、しかも高価であるが、ろ芯の交換には広い作業スペースが必要（しかも交換後には目視検査が必要）であるため、コストの拡大を招いている。
【考案の概要】
【考案が解決しようとする課題】
【０００４】
前記先行技術には、ろ過器に対応する工業用ろ芯の選択が不便で、さらに工業用ろ芯が使い捨て製品であるため環境に負担となり、またろ芯の交換に広い作業スペースが必要で、交換後の目視検査も必要であるためコストが拡大しているという欠点がある。
【課題を解決するための手段】
【０００５】
本考案は各種ろ芯に適用可能であるため、種類の異なるろ芯の交換に便利で応用範囲が広く、しかもろ芯装置は他の設備に再組み付けが可能な工業用のろ芯装置及びその迅速取り外し装置に関する。
【０００６】
本考案による工業用ろ芯の迅速取り外し装置は、本体、定位部を有する。
該本体は、第一組み立て部と第二組み立て部を有する。
該第一組み立て部は、相対して回転しないように、ろ芯アセンブリと、取り外し可能状に係合接続され、該第二組み立て部は、相対して回転しないように、外付け装置と、取り外し可能状に組み立てられる。
該定位部は、該第一組み立て部に設置され、該定位部は、該ろ芯アセンブリの第一係合接続部と相互に係合して接続される。
該定位部は、少なくとも１個の係合凹或いは少なくとも１個の係合凸を有する。
該定位部は、該第一係合接続部の構造と補完し合う。
【０００７】
本考案による工業用のろ芯装置は、上述の迅速取り外し装置とろ芯アセンブリを有する。
該ろ芯アセンブリは、該ろ芯アセンブリ内部と相互に連通する少なくとも１個の組み付け孔を有する。
該組み付け孔は、外付け装置の内部と相互に組み付けられ、相互に連通する。
【０００８】
本考案によるもう一つの工業用のろ芯装置は、上述の迅速取り外し装置とろ芯アセンブリを有する。
該外付け装置は、殼体を有する。
該迅速取り外し装置は、定位するように、該殼体に設置され、該ろ芯アセンブリは、該殼体内に組み立てられる。
【０００９】
本考案による工業用のろ芯装置及びその迅速取り外し装置は、繰り返し使用が可能で、しかも構造が簡単で、取り外しと交換を迅速に行え、さらにろ芯装置は他の設備にさらに組み付けることができる。
【図面の簡単な説明】
【００１０】
【図１】本考案による一実施形態の模式図である。
【図２】本考案による一実施形態の分解図である。
【図３】本考案による一実施形態の使用状態模式図である。
【図４】本考案による一実施形態の使用状態模式図である。
【図５】本考案による一実施形態の使用状態模式図である。
【図６】本考案による一実施形態の断面図である。
【図７】本考案によるもう一つの実施形態の模式図である。
【図８】本考案によるもう一つの実施形態の分解図である。
【図９】本考案によるもう一つの実施形態の断面図である。
【図１０】本考案によるさらにもう一つの実施形態の模式図である。
【図１１】本考案によるさらにもう一つの実施形態の分解図である。
【考案を実施するための形態】
【００１１】
（一実施形態）
図１〜図６に示す通り、本考案の一実施形態による工業用ろ芯の迅速取り外し装置１は、本体１０及び定位部２０を有する。
【００１２】
本体１０は、第一組み立て部１１と第二組み立て部１２を有する。
第一組み立て部１１は、相対回転しないように、ろ芯アセンブリ３０と取り外し可能状に係合接続される。
第二組み立て部１２は、相対回転しないように、外付け装置４０と取り外し可能状に組み立てられる。
ろ芯アセンブリ３０は、例えば半導体産業の研磨液或いは加工に使用する切削液のろ過に用いられる。
外付け装置４０は、例えば加圧ポンプを備えた液体ろ過器の連接部である。
【００１３】
第一組み立て部１１は、本体１０を通して設置される開口１１１を有する。
開口１１１には、ろ芯アセンブリ３０を嵌めて設置する。
開口１１１は、周辺１１２を有する。
周辺１１２は平面視概ね円弧状を呈し、しかも片側は開放状で、開放側１１３を形成し、開口１１１は、概ねＣ形を呈する。
本体１０は、可撓性を備え、これにより開口１１１は形状復元可能に開いて変形し、本体１０はろ芯アセンブリ３０を挟んで設置する。
【００１４】
第二組み立て部１２は、本体１０の相対する両外側にそれぞれ水平に延伸する２個の翼部１２１を有する。
各翼部１２１は、外付け装置４０と相互に対応して係合設置される。
【００１５】
定位部２０は、第一組み立て部１１に設置され、しかもろ芯アセンブリ３０の第一係合接続部３４と相互に係合して接続される。
定位部２０は、少なくとも１個の係合凹或いは少なくとも１個の係合凸を有する。
定位部２０は、第一係合接続部３４の構造と補完し合う。
ろ芯アセンブリ３０には、定位部２０に対応する形状の第一係合接続部３４を設置する。
開口１１１には、内壁に沿って、定位部２０を設置し、定位部２０は、少なくとも１個の凸鍵２１を有する。つまり、開口１１１内壁には、凸鍵２１を設置する。
第一係合接続部３４は、凸鍵２１に対応して凹部３１を有する。
凸鍵２１は、凹部３１と相互に嵌接し、定位部２０が第一係合接続部３４に定位されると、本体１０とろ芯アセンブリ３０とは、相対して回転することはない。
【００１６】
本体１０は、手で持つための握持部５０をさらに有する。
握持部５０は、滑り止め効果を備える複数のリブライン５１を有する。
迅速取り外し装置１は、一体成型のプラスチック部材或いは金属部材である。
【００１７】
ろ芯アセンブリ３０は、ろ芯アセンブリ３０内部と相互に連通する少なくとも１個の組み付け孔３２を有する。
迅速取り外し装置１とろ芯アセンブリ３０とは、取り外し可能状に組み立てられる。
迅速取り外し装置１は、開口１１１を通して、ろ芯アセンブリ３０を挟んで設置し、しかも定位部２０と定位構造とは、相互に定位されるため、迅速取り外し装置１とろ芯アセンブリ３０とは、相対して回転したり、移動したりすることはない。
【００１８】
迅速取り外し装置１は、外付け装置４０に定位されるように設置される。
外付け装置４０は、相対する両側に、槽部４１をそれぞれ有する。
迅速取り外し装置１の翼部１２１は、槽部４１中にスライドするように定位され、迅速取り外し装置１を通して、外付け装置４０に定位される。
ろ芯アセンブリ３０は同時に、外付け装置４０に定位される。
【００１９】
ろ芯アセンブリ３０の組み付け孔３２は、外付け装置４０と液体密封状態で相互に組み付けられる。
ろ芯アセンブリ３０の組み付け孔３２は、液体注入孔、液体送出孔、排気孔を有する。
各組み付け孔３２が、外付け装置４０と液体密封状に相互に組み付けられると、ろ芯アセンブリ３０は、外付け装置４０に流体を注入し、流体をろ過する。
迅速取り外し装置１及びろ芯アセンブリ３０は交換可能で、しかも迅速取り外し装置１は、繰り返し使用が可能である。
【００２０】
図７〜図９に示す通り、本考案のもう一つの実施形態による外付け装置４０ａは、例えば殼体４２を有する。
しかも、殼体４２は少なくとも、取り付けリング４２１を有する。
迅速取り外し装置１ａの開口１１１ａは、概ねΩ形を呈し、周辺１１２ａの開放側１１３ａの相対する両端は、外へと徐々に広がる導角１１４をそれぞれ有する。
好ましくは、迅速取り外し装置１ａは導角１１４によりろ芯アセンブリ３０ａへと導引されて組み立てられる。
【００２１】
開放側１１３ａには、定位部２０ａを隣り合うように設置する。
定位部２０ａ開放側１１３ａの相対する両端に隣り合うように設置される２個の係止部２２を有する。
ろ芯アセンブリ３０ａの第一係合接続部３４ａは、２個の係止ブロック３３を有する。
迅速取り外し装置１ａを、ろ芯アセンブリ３０ａに組み立てると、２個の係止部２２は、２個の係止ブロック３３にそれぞれ対応して接触する。
これにより、迅速取り外し装置１ａとろ芯アセンブリ３０ａとは、相対して回転することはなくなる。
迅速取り外し装置１ａは、２個の翼部１２１ａを通して、取り付けリング４２１の槽部４１ａと相互に係合して組み立てられる。
迅速取り外し装置１ａとろ芯アセンブリ３０ａは同様に取り外し可能である。
【００２２】
図１０及び図１１に示す通り、さらにもう一つの実施形態では、開口１１１ｂは、内壁に沿って、定位部２０ｂを設置する。
定位部２０ｂは、間隔を開けて設置される３個の凸鍵２１ａを有する。
第一係合接続部３４ｂは、３個の凸鍵２１ａに対応して、３個の凹部３１ａを有する。
３個の凸鍵２１ａは、３個の凹部３１ａと相互に嵌接する。
定位部２０ｂが第一係合接続部３４ｂに定位されると、迅速取り外し装置１ｂの本体１０ｂとろ芯アセンブリ３０とは、相対して回転することはない。
【００２３】
図１〜図６に示す通り工業用のろ芯装置２は、上述の迅速取り外し装置１を有し、しかもろ芯アセンブリ３０をさらに有する。
ろ芯アセンブリ３０は、ろ芯アセンブリ３０内部と相互に連通する少なくとも１個の組み付け孔３２を有する。
迅速取り外し装置１とろ芯アセンブリ３０とは、取り外し可能状に組み付けられる。
迅速取り外し装置１は、外付け装置４０に定位するように設置される。
組み付け孔３２は、外付け装置４０の内部と相互に組み付けられ、相互に連通する。
【００２４】
図７〜図９に示す通り、工業用のろ芯装置２ａは、上述の迅速取り外し装置１ａを有し、しかもろ芯アセンブリ３０ａをさらに有する。
外付け装置４０ａは、殼体４２を有する。
迅速取り外し装置１ａとろ芯アセンブリ３０ａとは、取り外し可能に組み付けられる。
迅速取り外し装置１ａは、取り外し可能に、殼体４２に設置される。
これにより、ろ芯アセンブリ３０ａは、迅速取り外し装置１ａを通して、殼体４２内に組み立てられ、ろ芯アセンブリ３０ａは、さらに殼体４２を通して、その他設備（ろ過システム設備など）に組み立てられる。
これにより、ろ芯アセンブリ３０ａはさらに、各種設備に応用可能となる。
【００２５】
上記を総合すると、本考案による工業用のろ芯装置及びその迅速取り外し装置は、繰り返し使用が可能で、しかも構造が簡単で、取り外しと交換を迅速に行え、さらに他の設備にさらに組み付けることができる。
【００２６】
前述した本考案の実施形態は本考案を限定するものではなく、本考案により保護される範囲は後述される実用新案登録請求の範囲を基準とする。
【符号の説明】
【００２７】
１、１ａ、１ｂ  迅速取り外し装置
２、２ａ  ろ芯装置
１０、１０ｂ  本体
１１  第一組み立て部
１１１、１１１ａ、１１１ｂ  開口
１１２、１１２ａ  周辺
１１３、１１３ａ  開放側
１１４  導角
１２  第二組み立て部
１２１、１２１ａ  翼部
２０、２０ａ、２０ｂ  定位部
２１、２１ａ  凸鍵
２２  係止部
３０、３０ａ  ろ芯アセンブリ
３１、３１ａ  凹部
３２  組み付け孔
３３  係止ブロック
３４、３４ａ、３４ｂ  第一係合接続部
４０、４０ａ  外付け装置
４１、４１ａ  槽部
４２  殼体
４２１  取り付けリング
５０  握持部
５１  リブライン
【図１】
0003212178.tif 000003
【図２】
0003212178.tif 000004
【図３】
0003212178.tif 000005
【図４】
0003212178.tif 000006
【図５】
0003212178.tif 000007
【図６】
0003212178.tif 000008
【図７】
0003212178.tif 000009
【図８】
0003212178.tif 000010
【図９】
0003212178.tif 000011
【図１０】
0003212178.tif 000012
【図１１】
0003212178.tif 000013
【手続補正書】
【提出日】平成29年6月29日(2017.6.29)
【手続補正１】
【補正対象書類名】実用新案登録請求の範囲
【補正対象項目名】全文
【補正方法】変更
【補正の内容】
【実用新案登録請求の範囲】
【請求項１】
工業用ろ芯の迅速取り外し装置であって、
本体、定位部を有し、
前記本体は、第一組み立て部と第二組み立て部を有し、
前記第一組み立て部は、相対して回転しないように、ろ芯アセンブリと取り外し可能に係合接続され、
前記第二組み立て部は、相対して回転しないように、外付け装置と、取り外し可能に組み立てられ、
前記定位部は、前記第一組み立て部に設置され、前記ろ芯アセンブリの第一係合接続部と相互に係合して接続され、少なくとも１個の係合凹或いは少なくとも１個の係合凸を有し、前記第一係合接続部の構造と補完し合うことを特徴とする、
工業用ろ芯の迅速取り外し装置。
【請求項２】
前記第一組み立て部は、前記本体を通して設置される開口を有し、前記開口には、前記ろ芯アセンブリを嵌めて設置し、前記開口は、周辺を有し、前記周辺は平面視概ね円弧状を呈し、片側に開放状の開放側を形成することを特徴とする請求項１に記載の工業用ろ芯の迅速取り外し装置。
【請求項３】
前記開口の前記周辺は、概ねＣ形を呈し、内壁に、前記定位部を設置し、前記定位部は、少なくとも１個の凸鍵を有し、前記第一係合接続部は、少なくとも１個の凹部を有し、前記凸鍵は、前記凹部と嵌設されることを特徴とする請求項２に記載の工業用ろ芯の迅速取り外し装置。
【請求項４】
前記開口の前記周辺は、概ねΩ形を呈し、前記周辺の開放側の相対する両端は、外へと徐々に広がる導角をそれぞれ有することを特徴とする請求項２に記載の工業用ろ芯の迅速取り外し装置。
【請求項５】
前記開放側は、前記定位部を有し、前記定位部は、前記開放側の相対する両端にそれぞれ隣接する２個の係止部を有し、前記第一係合接続部は、２個の係止ブロックを有し、前記２個の係止部は、前記２個の係止ブロックと接触することを特徴とする請求項４に記載の工業用ろ芯の迅速取り外し装置。
【請求項６】
前記第二組み立て部は、前記本体の相対する両外側にそれぞれ水平に延伸する２個の翼部を有し、前記外付け装置は、相対する２個の槽部を有し、前記２個の翼部は、２個の槽部に定位するように設置されることを特徴とする請求項１に記載の工業用ろ芯の迅速取り外し装置。
【請求項７】
前記本体は、握持部をさらに有し、前記握持部は、外へと延伸して成型されることを特徴とする請求項１に記載の工業用ろ芯の迅速取り外し装置。
【請求項８】
前記迅速取り外し装置は、一体成型であることを特徴とする請求項１に記載の工業用ろ芯の迅速取り外し装置。
【請求項９】
工業用のろ芯装置であって、
請求項１、２、３、６、７または８に記載の迅速取り外し装置を有し、
前記ろ芯装置は、ろ芯アセンブリをさらに有し、
前記ろ芯アセンブリは、前記ろ芯アセンブリ内部と相互に連通する少なくとも１個の組み付け孔を有し、
前記組み付け孔は、外付け装置の内部と相互に組み付けられ、相互に連通することを特徴とする、
工業用のろ芯装置。
【請求項１０】
工業用のろ芯装置であって、
請求項１、２、４、５、６または８に記載する迅速取り外し装置を有し、
前記ろ芯装置は、ろ芯アセンブリをさらに有し、
前記外付け装置は、殼体を有し、
前記迅速取り外し装置は、定位するように、前記殼体に設置され、
前記ろ芯アセンブリは、前記殼体内に組み立てられることを特徴とする、
工業用のろ芯装置。